(57)【要約】【課題】    ホログラム効果を利用して、視角によって変化する図柄を見ることができるように構成した化粧板を提供する。【解決手段】  互いに平行する複数本の突条２を形成して外面を波状とした透明材で構成された透視体１を通して、同透視体１の前記外面と反対の面側に置かれた図柄体１０上に前記突条２の並び方向に所定間隔を保って並べた画素１１で形成された図柄を見るように構成した化粧板である。この化粧板は、外面を波状とした透明材に形成された互いに平行する複数本の突条２による表面の凹凸がもたらす連続したレンズ効果によって、背後の図柄体１０上に形成された図柄１２、１３を構成する前記突条２の並び方向に所定間隔を保って並べた画素１１が視角の変化に応じて見えたり見えなくなるため、見る位置によって看取される図柄が変化する。【選択図】    図１
2006122318.tif 000002
【特許請求の範囲】
【請求項１】
互いに平行する複数本の突条を形成して外面を波状とした透明材で構成された透視体を通して、同透視体の前記外面と反対の面側に前記突条の並び方向に所定間隔を保って並べた画素で形成された図柄を見せるように構成したことを特徴とする化粧板。
【請求項２】
前記画素が前記突条の幅ｂのｂ／ｎの幅で形成されているとともに、１つの画素と、その画素から前記突条の幅方向に互いにｂ／ｎずらされた少なくとも１つの他の画素が形成されていることを特徴とする請求項１に記載の化粧板。
【請求項３】
前記した互いに平行する複数本の突条と図柄が、その突条と図柄の向きを異ならせて複数組配置されていることを特徴とする請求項１又は２に記載の化粧板。
【請求項４】
前記図柄が前記透視体の前記外面と反対の面上に描かれていることを特徴とする請求項１〜３のいずれか１つに記載の化粧板。
【請求項５】
前記図柄が前記透視体の前記外面と反対側に配置された図柄体に描かれていることを特徴とする請求項１又は２に記載の化粧板。
【請求項６】
前記図柄体が置換可能に構成されていることを特徴とする請求項５に記載の化粧板。
【請求項７】
前記透視体の前記外面と反対の面側に前記図柄を挟んで補強体が配設されていることを特徴とする請求項１〜６のいずれか１つに記載の化粧板。
【発明の詳細な説明】
【技術分野】
【０００１】
本発明は、視角によって変化する絵柄、写真、画像、文字、及びそれらの組み合わせ(本発明ではこれらを単に図柄という)を見ることができるように構成した化粧板に関する。
【背景技術】
【０００２】
視角によって変化する図柄を見ることができるようにした従来の技術として、光学ガラスの表面上にフォトレジストの凹凸パターンを形成したホログラム素子（特許文献１）や、表面に微細な格子パターン溝を形成した合成樹脂製の光回析格子を用いたもの（特許文献２）などが提供されている。
このようなホログラム素子や光回析格子は、表面上に極めて微細な凹凸や溝を有するものであるため、その凹凸や溝を形成させる上で極めて複雑な工程を要し製造に時間を要するとともに、製品がコスト高であり、また、小型化が難しいという問題があった。
【特許文献１】特開平４−３１６０８１号公報
【特許文献２】特開平４−１５１２２０号公報
【発明の開示】
【発明が解決しようとする課題】
【０００３】
本発明は、視角によって変化する図柄を見ることができるようにした従来の技術が上記した問題点を有していたのに対し、製造が簡単で低コストで製造でき、視角によって多様に変化する図柄を見ることができるように構成した化粧板を提供することを課題としている。
【課題を解決するための手段】
【０００４】
前記した課題を解決するため、本発明は、互いに平行する複数本の突条を形成して外面を波状とした透明材で構成された透視体を通して、同透視体の前記外面と反対の面側に前記突条の並び方向に所定間隔を保って並べた画素で形成された図柄を見せるように構成した化粧板を提供する。
【０００５】
本発明による化粧板では、前記した画素が前記透視体に形成された突条の幅ｂのｂ／ｎ（ｎは適宜の数値）の幅で形成されているとともに、１つの画素と、その画素から前記突条の幅方向互いに互いにｂ／ｎずらされた少なくとも１つの他の画素が形成されている構成とすることができる。
【０００６】
本発明による化粧板では、前記した互いに平行する複数本の突条と図柄が、その突条と図柄の向きを異ならせて複数組配置されている構成とすることができる。
【０００７】
また、本発明による化粧板では、その図柄が前記透視体の前記外面と反対の面上に描かれている構成としたり、前記透視体の前記外面と反対側に配置された図柄体に描かれている構成とすることができる。
【０００８】
前記図柄が図柄体に描かれている構成としたものにおいては、その図柄体を置換可能に構成されたものとすることができる。
【０００９】
以上の構成をもつ本発明の化粧板では、前記透視体の前記外面と反対の面側に前記図柄を挟んで補強体が配設された構成とするのが好ましい。
【発明の効果】
【００１０】
本発明による化粧板は、外面を波状とした透明材に形成された互いに平行する複数本の突条による表面の凹凸がもたらす連続したレンズ効果によって、背後の図柄を構成する前記突条の並び方向に所定間隔を保って並べた画素が視角の変化に応じて見えたり見えなくなったりするため、看取される図柄が視角を変えることによって変化する。
従って、視角の変化によって見える絵や文字又は色彩が変化するようにその図柄を構成する画素を描いておくことによって、多彩な図柄を表示することが出来る。
【００１１】
本発明による化粧板は、互いに平行する複数本の突条を形成して外面を波状とした透明材で構成された透視体と、その透視体の外面と反対の面側に前記突条の並び方向に所定間隔を保って並べた画素で形成された図柄とで構成され、これらに対して格別の精密加工も必要としないので、安価に製造することができる。
また、透視体をガラス、図柄を耐久性のある材料、例えばエナメルやセラミックス、サンドブラスト、エッチングなどによって形成することで、耐用年数が必要な建築物における内外装用化粧板などとして使用することができる。
【００１２】
また、本発明の化粧板は、ガラスなどの透視体の外面に互いに平行する複数本の突条を形成して外面を波状とするだけなので、その外面を二次元の曲面にしたり三次元の曲面にすることが容易にでき、きわめて多彩な図柄変化を表現することができる。
従って、本発明の化粧板は、日用品、装飾品、芸術作品、ディスプレイ、広告、家具及び建築・建造物用などに広く適用することが出来る。
【００１３】
本発明の化粧板において、前記画素が前記透視体に形成された突条の幅ｂのｂ／ｎの幅で形成されているとともに、１つの画素と、その画素から前記突条の幅方向に互いにｂ／ｎずらされた少なくとも１つの他の画素が形成された構成とすることによって、その突条の並び方向に視角を変えることによって、ｎ個に変化する図柄を看取できる化粧板とすることができる。
この場合、上記したように変化して看取される図柄の色も変化するように色を変えて図柄を形成することによって、視角によって多彩に変化する図柄を表現させることができる。
【００１４】
本発明の化粧板において、互いに平行する複数本の突条と図柄が、その突条と図柄の向きを異ならせて複数組配置した構成としたものは、その複数組の突条と図柄によって、視角を種々の方向に変化させる度に極めて多彩な外観を与えることができる。
また、本発明の化粧板において、図柄が前記透視体の前記外面と反対の面上に描かれている図柄付透視体の形としたものでは、図柄の作成に当たってはその透視体だけを取り扱えばよいので、加工や取付けなどが容易である。
【００１５】
本発明の化粧板において、透視体の前記外面と反対側に配置された図柄体に図柄が描かれている構成としたものでは、透視体とは別の適宜の材料を使って種々の図柄を描くことができるので、多様な図柄を容易に形成することができる。
また、その図柄を置換可能に構成したものは、図柄を適宜取り替えることによって視角の変化に応じて変化する図柄に更に多様な変化を与えることができる。
【００１６】
以上説明した本発明の化粧板において、背面側に補強体を配設した構成としたものは建築物における外装や屋外の構造物に採用して強度上耐久性をもつ化粧板として有効に使用することができる。
【発明を実施するための最良の形態】
【００１７】
以下、本発明の実施の最良の形態による化粧板について具体的に説明する。
先ず、その化粧板の全体構成を図１、図２によって説明すると、１は透明材としての透明ガラスで構成された透視体を示し、１０は図柄が描かれた図柄体を示し、２０は透視体１との間に図柄体１０を挟む補強体としての板ガラスを示している。
【００１８】
透視体１を構成する板ガラスは、一例として厚さａが８mmで、その外面側には幅ｂが４mmで、各断面をほぼ半球面状とした複数本の突条２が互いに平行して形成されていて、その外面が平行な波状となっている。なお、この透視体１の厚さａや突条２の幅ｂはこの化粧板によって構成する物やこの透視体１を通して見る図柄などに応じて適宜選定すればよく、何らの限定もない。
【００１９】
図柄体１０は、一例として透明ガラスで構成され図３に平面図で示すように互いに所定間隔を保って並べて描かれた細線状をした多数の画素(マーク)１１で形成されている。
各図柄を構成する細線状をした多数の画素１１の幅ｃは、透視体１の外面上に形成された突条２の幅ｂの１／３となっている（ｃ＝ｂ／３）。図３ではこれらの画素は全体として大小２つの円を形成する図柄１２，１３を構成しており、これら２つの円を構成する画素は異なる色に着色されている。
【００２０】
一方、大小２つの円を形成する図柄１２を構成する細線状の多数の画素１１と、図柄１３を構成する細線状の多数の画素１１は、図３に見られるように互いにｂ／３だけ左右方向（突条２及び画素１１の並び方向）にずらされて配置されている。
以上のように、図示した実施形態による化粧板では、透視体１の外面上に形成された突条２の幅ｂの１／３の幅を有する画素１１で図柄１２，１３が形成されているとともに図柄１２と１３の画素１１はｂ／３だけずらされて配置されているので、視角を突条２の並び方向に変えた場合、後記するように３通りに変化する図柄が看取できる。
【００２１】
この図柄体１０は透視体１と補強体２０の間に挟まれて着脱自在に保持されていて、他の図柄が描かれた別の図柄体と差し替え可能に構成されている。図柄体１０を透視体１の外面と反対側に置換可能に保持しておく構成は適宜のものであってよいので詳細は説明を省略する。従って、この実施形態による化粧板では、看取される図柄を変えられるように、置換するための複数種類の図柄を用意して置く。
【００２２】
以上のように構成された本実施形態による化粧板を、その透視体１における複数本の突条２が形成されている方の外面から透視体１の外面上の突条２の並び方向に視角を変えて見た場合、図柄体１０に描かれた図３に示す図柄１２と１３は、透視体１の外面に形成された突条２によるレンズ効果によって、図４の（１）のように図柄体１０上の円１３のみが見えたり、図４の（２）のように図柄体１０上の円１２も１３も見えない状態になったり、図４の（３）のように円１２のみが見えたりする３つの状態に変化する。
従って、色と形が異なる図柄が変化して見えるので美観が向上する。
【００２３】
以上説明した実施の形態による化粧板では、図柄体１０には、透視体１の突条２の幅ｂの１／３の幅の画素１１で２種類の図柄１２、１３を互いにｂ／３だけ突条２の幅方向にずらして形成することによって図４の（１）、（２）、（３）に示した３態様の図柄が看取される構成としているが、画素の幅ｃを突条２の幅ｂの何分の１にして、また、何種類の図柄を形成し、各図柄を互いにどの位ずらすか、また、視角を変えたときにどのような図柄が何種類看取されるものとするかは、適宜選択してよい。ただし、突条２の幅ｂを１／ｎにするｎの値を大きくして画素１１の幅が小さくなりすぎると看取される図柄が不鮮明となるので化粧板の大きさ、図柄の種類、用途などに応じてｎの値を適宜選定すべきことはいうまでもない。
【００２４】
また、前記した実施形態による化粧板では図柄が２つの円が別々に看取される例について説明したが、視角を変えることによって看取される図柄によって連続した動画が表現されるように画素を構成し広告などにおけるアピール効果を向上させたりすることもできる。
【００２５】
また、前記した実施形態による化粧板では１つの方向にのみ平行に並べられた突条２が形成された例を示しているが、透視体１の外面において平行に並べて形成された突条２の方向が他の部分における突条と互いに異ならせたもの複数群を格子状に組み合わせた構成とすることによって、視角をどの方向に変えても多様に変化する図柄を看取することができるものとすることが出来る。
【００２６】
また、上記した実施形態の化粧板では、透視体を構成する透明材として、透明ガラスを採用しているが、透明材としてはガラスに限らず、化粧板の用途に応じて適宜の材料、例えばアクリル板などの他の材料製の透明材を採用してよい。
更にまた、透明材としては透明顔料で着色されたものを使ってよく、この場合、図柄の色との補色関係などを利用して多様な色の変化を与えるようにすることも出来る。上記に加えて、更に、透視体１の外面を二次元や三次元の球面にすることによって、視角を変えたときに更に多様に変化する図柄を見ることが出来る化粧板となる。
【００２７】
また、前記した実施の形態では、図柄体１０に図柄を描いているが、透明体１の波状とした外面と反対側の面に図柄を描いて図柄体の使用を省いた構成としてもよい。更に、上記実施形態の化粧板では補強体２０を採用しているが、本発明による化粧板の用途が特に強度を必要としない場合は、補強体は省いてもよい。
【００２８】
また、上記実施形態による化粧板では、透視体の外面に形成された突条の断面が球形や他の曲面の一部となっているものを説明したが、透視体の外面に形成する突条としては、外面を波状とするものであれば、球形の一部ではない適宜の曲面、或いは６角形、８角形などの多角形断面であってよい。
【図面の簡単な説明】
【００２９】
【図１】本発明の一実施形態による化粧板の構成を示す斜視図。
【図２】図１に示された化粧板を上から見た平面図。
【図３】本発明の一実施形態による化粧板の図柄体における図柄の一例を示す平面図。
【図４】図１〜３に示した化粧板において、視角を変えたときに化粧板外面から看取される図柄の状態を示す平面図。
【符号の説明】
【００３０】
１      透視体
２      突条
１０    図柄体
１１    画素(マーク)
１２    図柄
１３    図柄
２０    補強体
【図１】
2006122318.tif 000003
【図２】
2006122318.tif 000004
【図３】
2006122318.tif 000005
【図４】
2006122318.tif 000006